(57)【要約】【課題】壁面に対する取付作業の容易化を図った照明装置、及び、照明装置の取付方法を提供すること。【解決手段】照明装置１０は、被照射面である壁面１に取り付けられて被照射面を照射するものであって、壁面１に固定される後壁２１と後壁２１よりも前方に並設された前壁２３とを有する取付部材２０と、取付部材２０の前壁２３の前方から前壁２３に固定される固定壁３１を有する本体枠部材３０と、本体枠部材３０に配置される照射ユニット４０と、を備える。【選択図】図１
2020035686.tif 000002
【特許請求の範囲】
【請求項１】
被照射面である壁面に取り付けられて前記被照射面を照射する照明装置であって；
前記壁面に固定される後壁と前記後壁よりも前方に並設された前壁とを有する取付部材と；
前記取付部材の前記前壁の前方から該前壁に固定される固定壁を有する本体枠部材と；
前記本体枠部材に配置される照射ユニットと；
を備えることを特徴とする照明装置。
【請求項２】
前記取付部材の前記前壁には、前記後壁を前記壁面に固定する固定具と対向した位置に作業開口が形成されていることを特徴とする請求項１に記載の照明装置。
【請求項３】
前記取付部材の前記前壁には、前記作業開口を避けた位置に取付ねじが設けられ；
前記固定壁には、前記取付ねじと係合して前記本体枠部材を前記取付部材に仮固定可能なだるま孔が設けられていることを特徴とする請求項２に記載の照明装置。
【請求項４】
前記照射ユニットは、前記本体枠部材に設けられた取付ばねの付勢力によって着脱自在に支持されることを特徴とする請求項１から３のいずれか一項に記載の照明装置。
【請求項５】
前記本体枠部材は、前記固定壁よりも前方に位置して該固定壁よりも高さが低く形成された立壁を備えることを特徴とする請求項１から４のいずれか一項に記載の照明装置。
【請求項６】
後壁と前記後壁よりも前方に並設された前壁とを有する取付部材の前記後壁を被照射面である壁面に取り付けるステップと；
本体枠部材の固定壁を前記取付部材の前記前壁の前方から該前壁に固定するステップと；
前記取付部材に固定された前記本体枠部材に照射ユニットを配置するステップと；
を備えることを特徴とする照明装置の取付方法。
【発明の詳細な説明】
【技術分野】
【０００１】
本発明の実施形態は、看板や広告などを照射する照明装置および照明装置の取付方法に関する。
【背景技術】
【０００２】
従来、看板や広告などの上縁及び下縁の少なくとも一方に沿って設けられて、これら看板や広告の壁面（被照射面）を照射する外照式の照明装置が知られている。
【先行技術文献】
【特許文献】
【０００３】
【特許文献１】特開２０１３−６５００７号公報
【発明の概要】
【発明が解決しようとする課題】
【０００４】
この種の照明装置は、光源を備えた装置本体をアンカーボルトや木ねじなどの固定具によって壁面に取り付ける作業を要する。ここで、光源は壁面よりも前方に設けられているため、前方から装置本体を壁面に取り付ける際に光源が邪魔になることがある。また、装置本体を取り付ける作業の間、この装置本体を支える必要があるが、装置本体（照明装置）は重量物であるため、照明装置を壁面に取り付ける作業の容易化が要望されている。
【０００５】
本発明は、上記に鑑みてなされたものであって、壁面に対する取付作業の容易化を図った照明装置、及び、照明装置の取付方法を提供することを目的とする。
【課題を解決するための手段】
【０００６】
上述した課題を解決し、目的を達成するために、本発明は、被照射面である壁面に取り付けられて前記被照射面を照射する照明装置であって、壁面に固定される後壁と後壁よりも前方に並設された前壁とを有する取付部材と、取付部材の前壁の前方から該前壁に固定される固定壁を有する本体枠部材と、本体枠部材に配置される照射ユニットと、を備えることを特徴とする。
【発明の効果】
【０００７】
本発明によれば、壁面に取付部材の後壁を固定し、取付部材の前壁に本体枠部材の固定壁を固定し、本体枠部材に照射ユニットを配置するため、これら取付部材、本体枠部材及び照射ユニットを順番に取り付けることができ、壁面に照明装置を容易に取り付けることができる。
【図面の簡単な説明】
【０００８】
【図１】図１は、本実施形態に係る照明装置の側断面図である。
【図２】図２は、照明装置の分解斜視図である。
【図３】図３は、照明装置の取付部材を示す斜視図である。
【図４】図４は、照明装置の取付部材と本体枠部材を示す斜視図である。
【図５】図５は、取付部材に本体枠部材を固定する手順を説明する分解斜視図である。
【図６】図６は、本体枠部材に照射ユニットを取り付ける手順を説明する分解斜視図である。
【図７】図７は、電源ユニットに電気配線を接続する手順を説明する斜視図である。
【図８】図８は、本体枠部材に反射板を取り付ける手順を説明する分解斜視図である。
【発明を実施するための形態】
【０００９】
本発明を実施するための形態（実施形態）につき、図面を参照しつつ詳細に説明する。以下の実施形態に記載した内容により本発明が限定されるものではない。また、以下に記載した構成要素には、当業者が容易に想定できるもの、実質的に同一のものが含まれる。
【００１０】
本実施形態に係る照明装置１０は、被照射面である壁面１に取り付けられて被照射面を照射するものであって、壁面１に固定される後壁２１と後壁２１よりも前方に並設された前壁２３とを有する取付部材２０と、取付部材２０の前壁２３の前方から前壁２３に固定される固定壁３１を有する本体枠部材３０と、本体枠部材３０に配置される照射ユニット４０と、を備えている。
【００１１】
さらに、本実施形態に係る照明装置１０は、取付部材２０の前壁２３には、後壁２１を壁面１に固定するアンカーボルト２と対向した位置に作業開口２６が形成されている。
【００１２】
さらに、本実施形態に係る照明装置１０は、取付部材２０の前壁２３には、作業開口２６を避けた位置に取付ねじ２７が設けられ、本体枠部材３０の固定壁３１には、取付ねじ２７の頭部２７Ａと係合して本体枠部材３０を取付部材２０に仮固定可能な第１のだるま孔３５が設けられている。
【００１３】
また、本実施形態に係る照明装置１０において、照射ユニット４０は、本体枠部材３０に設けられた取付ばね３８の付勢力によって着脱自在に支持されている。
【００１４】
また、本実施形態に係る照明装置１０において、本体枠部材３０は、固定壁３１よりも前方に位置して該固定壁３１よりも高さが低く形成された立壁３３を備える。
【００１５】
また、本実施形態に係る照明装置１０の取付方法は、後壁２１と後壁２１よりも前方に並設された前壁２３とを有する取付部材２０の後壁２１を被照射面である壁面１に取り付けるステップと、本体枠部材３０の固定壁３１を取付部材２０の前壁２３の前方から該前壁２３に固定するステップと、取付部材２０に固定された本体枠部材３０に照射ユニット４０を配置するステップと、を備える。
【００１６】
本実施形態に係る照明装置について説明する。図１は、本実施形態に係る照明装置の側断面図である。図２は、照明装置の分解斜視図である。図３は、照明装置の取付部材を示す斜視図である。図４は、照明装置の取付部材と本体枠部材を示す斜視図である。本実施形態において、前後、上下は、照明装置１０を壁面１に取り付けた際の前後、上下を示すものとし、特に壁面１から離れた側を前、壁面１側を後とする。
【００１７】
照明装置１０は、看板や広告などの被照射面である壁面１を照射するものであり、図１に示すように、照明装置１０は、壁面１に前方に張り出して取り付けられている。この図１では、照明装置１０は壁面１の下部に設けられて該壁面１を下方から照射しているが、照明装置１０を壁面１の上部に設けて該壁面１を上方から照射することもできる。
【００１８】
照明装置１０は、図１に示すように、看板や広告などの壁面１に固定される取付部材２０と、この取付部材２０に対して前方から着脱自在に連結される本体枠部材３０とを備える。また、照明装置１０は、図１及び図２に示すように、本体枠部材３０内に配置される照射ユニット４０と、電源ユニット５０と、この電源ユニット５０を覆うように本体枠部材３０に取り付けられる反射板６０とを備える。
【００１９】
取付部材２０は、例えば鋼板などの金属板を折り曲げて形成され、図１に示すように、壁面１に固定される後壁２１と、この後壁２１の下端から前方に延びる水平壁２２と、この水平壁２２の前端から上方の延びる前壁２３とを備えた断面略コ字状を呈する。前壁２３は後壁２１と略同一の高さに形成され、後壁２１と略同一の高さ位置において、後壁２１の前方に並設されている。また、図２に示すように、取付部材２０の両端開口には、それぞれ側板部材２４が取り付けられている。
【００２０】
取付部材２０の後壁２１には、図３に示すように、複数（本実施形態では２つ）の固定孔２５が形成されている。この固定孔２５は、図１に示す壁面１から突出したアンカーボルト（固定具）２が貫通してナット３により取付部材２０を壁面１に固定するためのものである。また、固定孔２５に木ねじ（不図示：固定具）を貫通させて取付部材２０を壁面１に固定してもよい。固定孔２５は、それぞれ取付部材２０の中央よりも長手方向の両端側に設けられている。また、取付部材２０の前壁２３には、図３に示すように、固定孔２５と対向する位置に作業開口２６が形成されている。この作業開口２６は、後壁２１に形成された固定孔２５よりも十分に大きく形成されており、取付部材２０の前方から固定孔２５にアクセスするためのものである。前壁２３における固定孔２５（アンカーボルト２や木ねじ）に対向する位置に作業開口２６が形成されていることにより、この作業開口２６から工具を挿入することができ、前方から取付部材２０の壁面１への取付作業を容易に実行することができる。また、取付部材２０の後壁２１には、固定孔２５と並んで取付部材２０内に電気配線を引き込むための配線挿通孔２８が形成されている。
【００２１】
また、取付部材２０の前壁２３には、図３に示すように、作業開口２６を避けた位置に複数（本実施形態では４つ）の取付ねじ２７が設けられている。これら取付ねじ２７は、頭部２７Ａを備え、前壁２３から前方に突出している。これら取付ねじ２７は、本体枠部材３０を取付部材２０に固定（本固定及び仮固定を含む）するためのねじであり、前壁２３の同じ高さ位置に設けられている。
【００２２】
本体枠部材３０は、取付部材２０と同様に例えば鋼板などの金属板を折り曲げて形成される。本体枠部材３０は、図１に示すように、取付部材２０の前壁２３に固定される固定壁３１と、この固定壁３１の下端から前上方に傾斜して延びる斜壁３２と、この斜壁３２の前端から上方の延びる立壁３３とを備えた断面略コ字状を呈する。本体枠部材３０の両端開口には、それぞれ側板部材３４が取り付けられている。
【００２３】
本体枠部材３０の固定壁３１には、図４に示すように、取付部材２０の前壁２３に設けられた取付ねじ２７とそれぞれ係合する第１のだるま孔３５と第２のだるま孔３６とが設けられている。これらのだるま孔は、取付ねじ２７の頭部２７Ａよりも大きい孔部と頭部２７Ａよりも小さい孔部とが上下方向に連設しており、該大きい孔部を通じて、取付ねじ２７に本体枠部材３０を引っかけて仮固定することができる。このため、壁面１（図１）に固定された取付部材２０の取付ねじ２７を取り外すことなく、取付部材２０に本体枠部材３０を容易に仮固定することができる。さらに、仮固定した状態で取付ねじ２７を締めつけることにより、取付部材２０に本体枠部材３０を本固定することもできる。
【００２４】
ここで、本体枠部材３０の立壁３３は、固定壁３１よりも前方に位置し、この固定壁３１よりも高さが低く形成されている。このため、図４に示すように、照射ユニット４０を配置する前の状態では、立壁３３に邪魔されることなく、ドライバーなどの工具を用いて、本体枠部材３０の前方から取付ねじ２７の締め付け作業を容易に行うことができる。
【００２５】
本実施形態では、第１のだるま孔３５は、壁面１を下方から照射する場合に用いられる孔部であり、第２のだるま孔３６は、壁面１を上方から照射する場合に用いられる孔部である。第２のだるま孔３６は、本体枠部材３０を天地反転した場合に、前壁２３に設けられた取付ねじ２７に対応する位置に形成されている。このため、壁面１を上方から照射する場合には、本体枠部材３０を天地反転するだけで、第２のだるま孔３６を通じて、取付部材２０に本体枠部材３０を容易に仮固定及び本固定することができる。
【００２６】
また、本体枠部材３０の固定壁３１には、上記した作業開口２６と対向する位置に取付部材２０から本体枠部材３０内に電気配線を引き込むための配線挿通孔３７が設けられている。
【００２７】
本体枠部材３０の斜壁３２上には、立壁３３の近くに照射ユニット４０を支持するための複数（本実施形態では２つ）の取付ばね３８が設けられている。この取付ばね３８は、例えば板ばねを略コ字状に折り曲げて形成されている。取付ばね３８の両端には、それぞれ端部を内側に折り曲げた爪部３８Ａが形成され、ばね力によって照射ユニット４０を爪部３８Ａで挟んで支持する。
【００２８】
照射ユニット４０は、図２に示すように、本体枠部材３０の前側に配置されて一対の取付ばね３８によって支持される。照射ユニット４０は、透光性を有する樹脂製のカバー４１と、このカバー４１内に収容された基台部４２と、この基台部４２上に配置されるＬＥＤユニット基板４３と、このＬＥＤユニット基板４３上に配置されるレンズ４４とを備える。カバー４１は、筒状に形成されて防水性を高めている。カバー４１の長手方向の両側面には、それぞれ取付ばね３８の爪部３８Ａと係合する溝部４１Ａが長手方向に沿って形成されている。ＬＥＤユニット基板４３はＬＥＤ素子４３Ａを有する。レンズ４４は、例えば、全反射型のレンズが用いられ、ＬＥＤ素子４３Ａが発する光を被照射面に向けて照射する。また、照射ユニット４０は、カバー４１の両端を覆う側板４５を有し、この側板４５の外側には、ＬＥＤユニット基板４３に電力を供給するための配線（不図示）が設けられている。
【００２９】
電源ユニット５０は、図１及び図４に示すように、本体枠部材３０の斜壁３２上に配置されている。本実施形態では、電源ユニット５０は、予め本体枠部材３０の幅方向中央部の斜壁３２にねじなどによって固定されており、本体枠部材３０と共に取付部材２０に固定される。電源ユニット５０は、外部（他の電源ユニット５０を含む）から供給された電力を受けつつ、この電力を照射ユニット４０に供給する。
【００３０】
反射板６０は、図１及び図２に示すように、上面部６１と斜面部６２とを備え、例えば鋼板などの金属板を断面略Ｌ字状に折り曲げて形成される。上面部６１及び斜面部６２の表面は、照射ユニット４０が発した光の少なくとも一部を被照射面に向けて反射する。また、反射板６０の上面部６１及び斜面部６２は、電源ユニット５０が配置される空間を本体枠部材３０と協働して遮蔽する。
【００３１】
次に、照明装置１０を壁面１に取り付ける手順について説明する。図５は、取付部材に本体枠部材を固定する手順を説明する分解斜視図である。図６は、本体枠部材に照射ユニットを取り付ける手順を説明する分解斜視図である。図７は、電源ユニットに電気配線を接続する手順を説明する斜視図である。図８は、本体枠部材に反射板を取り付ける手順を説明する分解斜視図である。
【００３２】
まず、壁面１の所定の位置に取付部材２０を取り付ける。具体的には、壁面１に複数のアンカーボルト２を埋設し、これらアンカーボルト２を取付部材２０の後壁２１に形成された固定孔２５（図３）にそれぞれ挿し込む。そして、図５に示すように、取付部材２０の前壁２３に形成された作業開口２６を通じて、壁面１から突出したアンカーボルト２にそれぞれナット３を締め付け、取付部材２０を壁面１に固定する。ここで、看板や広告などの壁面１の幅方向の長さが、取付部材２０の長手方向の長さに比べて十分長い場合には、複数の取付部材２０を長手方向に連ねて壁面１に固定すればよい。
【００３３】
次に、壁面１に固定された取付部材２０に本体枠部材３０を固定する。具体的には、図５に示すように、電源ユニット５０を搭載した本体枠部材３０の固定壁３１を取付部材２０の前壁２３に対向させるとともに、前方から固定壁３１に設けられた第１のだるま孔３５と前壁２３に設けられた取付ねじ２７とを係合させる。本実施形態では、取付ねじ２７の頭部２７Ａを第１のだるま孔３５の大きい孔部を通じて小さい孔部に引っかけることにより、取付ねじ２７に本体枠部材３０を引っかけて仮固定することができ、本体枠部材３０から手を離すことが可能となる。
【００３４】
次に、本体枠部材３０を取付部材２０に本固定する。本実施形態では、本体枠部材３０の前方に位置する立壁３３は、固定壁３１に比べて高さが低く形成されている。このため、図５に示すように、本体枠部材３０が仮固定された状態で、立壁３３の上方空間を通じて、前方から取付ねじ２７に容易にアクセスすることができる。これにより、本体枠部材３０を片手で保持することなく、前方から取付ねじ２７を締め付けることにより、容易に取付部材２０に本体枠部材３０を本固定することができる。
【００３５】
次に、取付部材２０に固定された本体枠部材３０に照射ユニット４０を取り付ける。具体的には、図６に示すように、本体枠部材３０の斜壁３２上に設けられた取付ばね３８に、照射ユニット４０を上方から嵌め込む。この場合、取付ばね３８のばね力により、取付ばね３８の爪部３８Ａが照射ユニット４０の長手方向に沿って形成されている溝部４１Ａと係合することにより照射ユニット４０を挟持する。本実施形態では、照射ユニット４０は、取付部材２０に本体枠部材３０が固定された後に取り付けられるため、照射ユニット４０が本体枠部材３０を取付部材２０に固定する作業を邪魔することはなく、容易に本体枠部材３０を取付部材２０に固定することができる。また、照射ユニット４０は、取付ばね３８によって本体枠部材３０に着脱自在であるため、本体枠部材３０を取り外すことなく、照射ユニット４０のみを容易に交換することができる。
【００３６】
次に、電源ユニット５０及び照射ユニット４０の電気配線を接続する。具体的には、図７に示すように、まず、壁面１側から延びる電源配線４を、配線挿通孔２８，３７を通じて、本体枠部材３０内に引き込む。次に、電源配線４の先端にコネクタ５を接続し、このコネクタ５を介して、電源ユニット５０から延びる電気配線５１のコネクタ５２と連結する。また、図示は省略したが、電源ユニット５０から別途延びる電気配線のコネクタと、照射ユニット４０から延びる電気配線のコネクタとを連結する。本実施形態では、壁面１に取付部材２０及び本体枠部材３０が固定された後に、照射ユニット４０の取り付け及び電気配線の作業を行うことができる。このため、取付部材２０及び本体枠部材３０の固定作業と、照射ユニット４０の取り付けや電気配線の作業とを区分けして行うことができる。従って、ある作業員が壁面１に取付部材２０及び本体枠部材３０を固定していくとともに、壁面１に固定された本体枠部材３０に対して、別の作業員が照射ユニット４０の取り付け、電気配線の作業を実施することができ、照明装置１０を壁面１に取り付ける作業効率の向上を図ることができる。
【００３７】
最後に、図８に示すように、本体枠部材３０に反射板６０をねじ６３で取り付ける。これにより、照明装置１０を壁面１に固定することができる。本実施形態では、照明装置１０を取付部材２０、本体枠部材３０、照射ユニット４０、電源ユニット５０、反射板６０を機能的に分割し、これらを壁面１に対して前方から順番に取り付けるため、照明装置１０を容易に壁面１に取り付けることが可能となる。なお、本実施形態では、被照射面を下方から照射する照明装置１０を壁面１に取り付ける場合について説明したが、被照射面を上方から照射する場合には、本体枠部材３０を天地反転させて斜壁３２を上面とし、本体枠部材３０の固定壁３１に設けられた第２のだるま孔３６と前壁２３に設けられた取付ねじ２７とを係合させればよい。
【００３８】
以上、本実施形態に係る照明装置１０は、被照射面である壁面１に取り付けられて被照射面を照射するものであって、壁面１に固定される後壁２１と後壁２１よりも前方に並設された前壁２３とを有する取付部材２０と、取付部材２０の前壁２３の前方から前壁２３に固定される固定壁３１を有する本体枠部材３０と、本体枠部材３０に配置される照射ユニット４０と、を備えるため、壁面１に取付部材２０の後壁２１を固定し、取付部材２０の前壁２３に本体枠部材３０の固定壁３１を固定し、本体枠部材３０に照射ユニット４０を配置することができる。これにより、これら取付部材２０、本体枠部材３０及び照射ユニット４０を前方から順番に取り付けることができ、壁面１に照明装置１０を容易に取り付けることができる。
【００３９】
また、本実施形態に係る照明装置１０において、取付部材２０の前壁２３には、後壁２１を壁面１に固定するアンカーボルト２と対向した位置に作業開口２６が形成されているため、この作業開口２６を通じて、アンカーボルト２に対する作業を容易に行うことができ、取付部材２０を壁面１に容易に固定することができる。
【００４０】
また、本実施形態に係る照明装置１０において、取付部材２０の前壁２３には、作業開口２６を避けた位置に取付ねじ２７が設けられ、本体枠部材３０の固定壁３１には、取付ねじ２７の頭部２７Ａと係合して本体枠部材３０を取付部材２０に仮固定可能な第１のだるま孔３５が設けられているため、第１のだるま孔３５を介して、本体枠部材３０を取付部材２０に仮固定することができる。
【００４１】
本実施形態に係る照明装置１０において、照射ユニット４０は、本体枠部材３０に設けられた取付ばね３８の付勢力によって着脱自在に支持されているため、照射ユニット４０が本体枠部材３０を取付部材２０に固定する作業を邪魔することはなく、容易に本体枠部材３０を取付部材２０に固定することができる。
【００４２】
また、本実施形態に係る照明装置１０において、本体枠部材３０は、固定壁３１よりも前方に位置して該固定壁３１よりも高さが低く形成された立壁３３を備えるため、立壁３３の上方空間を通じて、前方から取付ねじ２７に対する作業を容易に行うことができる。
【００４３】
また、本実施形態に係る照明装置１０の取付方法は、後壁２１と後壁２１よりも前方に並設された前壁２３とを有する取付部材２０の後壁２１を被照射面である壁面１に取り付けるステップと、本体枠部材３０の固定壁３１を取付部材２０の前壁２３の前方から該前壁２３に固定するステップと、取付部材２０に固定された本体枠部材３０に照射ユニット４０を配置するステップと、を備えるため、これら取付部材２０、本体枠部材３０及び照射ユニット４０を前方から順番に取り付けることができ、壁面１に照明装置１０を容易に取り付けることができる。
【００４４】
本発明の実施形態を説明したが、本実施形態は、例として提示したものであり、発明の範囲を限定することは意図していない。本実施形態は、その他の様々な形態で実施されることが可能であり、発明の要旨を逸脱しない範囲で、種々の省略、置き換え、変更を行うことができる。本実施形態やその変形は、発明の範囲や要旨に含まれると同様に、特許請求の範囲に記載された発明とその均等の範囲に含まれる。例えば、本実施形態では、電源ユニット５０は、予め本体枠部材３０の斜壁３２に取り付けられているが、これに限るものではなく、例えば、本体枠部材３０を取付部材２０に固定した後に、照射ユニット４０とともに本体枠部材３０に取り付けてもよい。また、電源ユニット５０を取付部材２０の水平壁２２上に配置してもよい。
【符号の説明】
【００４５】
１  壁面
２  アンカーボルト（固定具）
３  ナット（固定具）
１０  照明装置
２０  取付部材
２１  後壁
２３  前壁
２５  固定孔
２６  作業開口
２７  取付ねじ
２７Ａ  頭部
２８、３７  配線挿通孔
３０  本体枠部材
３１  固定壁
３２  斜壁
３３  立壁
３５  第１のだるま孔（だるま孔）
３６  第２のだるま孔（だるま孔）
３８  取付ばね
３８Ａ  爪部
４０  照射ユニット
５０  電源ユニット
６０  反射板
【図１】
2020035686.tif 000003
【図２】
2020035686.tif 000004
【図３】
2020035686.tif 000005
【図４】
2020035686.tif 000006
【図５】
2020035686.tif 000007
【図６】
2020035686.tif 000008
【図７】
2020035686.tif 000009
【図８】
2020035686.tif 000010